(57)【要約】本発明はダイバシティ送信機に関し、上記ダイバシティ送信機は、送信処理手段（２）へ送られる記号マトリックス（ｂ）を入力する送信記号入力手段（１）を備え、上記送信処理手段は上記記号の列を複数の少なくとも２つのブランチへ供給する供給手段（２ａ）を含み、各ブランチは空間チャネル（Ａ1、…、Ａm）の関連する１つへ供給されて受信機へ送信される。上記送信処理手段は更に、関連するユーザに割当てられている少なくとも２つの並列チャネルを各ブランチ内へ供給する並列化手段（２ｂ）と、上記ブランチの少なくとも１つ上の記号信号に、固定された複素重みを用いる可逆線形変換を受けさせる重み付け手段（２ｃ）とを含み、上記複素重みは少なくとも２つの並列チャネルの間で異なる。本発明は、対応するダイバシティ送信方法にも関する。
2004538716.tif 000002
【特許請求の範囲】
【請求項１】
ダイバシティ送信機であって、
送信処理手段（２）へ送られる記号マトリックス（ｂ）を入力する送信記号入力手段（１）を備え、
上記送信処理手段は、
上記記号マトリックスの列を複数の少なくとも２つのブランチへ供給する供給手段（２ａ）を含み、各ブランチは空間チャネル（Ａ1、…、Ａm）の関連する１つへ供給されて受信機へ送信されるようになっており、
上記信号処理手段は更に、
関連するユーザに割当てられている少なくとも２つの並列チャネルを各ブランチ内へ供給する並列化手段（２ｂ）と、
上記ブランチの少なくとも１つの上の記号マトリックス信号に、固定された複素重みを用いる可逆線形変換を受けさせる重み付け手段（２ｃ）とを含み、上記複素重みは少なくとも２つの並列チャネルの間で異なる
ことを特徴とするダイバシティ送信機。
【請求項２】
上記可逆線形変換は、ユニタリ変換であることを特徴とする請求項１に記載のダイバシティ送信機。
【請求項３】
上記ユニタリ変換は、少なくとも２つの要素が異なる非０複素位相値を有するユニタリ重みマトリックスによって表されることを特徴とする請求項２に記載のダイバシティ送信機。
【請求項４】
上記並列化手段（２ｂ）は、多重拡散コードを使用してマルチコード送信を遂行するようになっていることを特徴とする請求項１に記載のダイバシティ送信機。
【請求項５】
上記マルチコード送信は、上記記号に拡散コードマトリックス（Ｈ）を乗ずることによるアダマール変換を使用して遂行されることを特徴とする請求項４に記載のダイバシティ送信機。
【請求項６】
上記拡散コードマトリックスは、アンテナに特定であることを特徴とする請求項４に記載のダイバシティ送信機。
【請求項７】
上記拡散コードは、非直交拡散コードであることを特徴とする請求項４、５、または６に記載のダイバシティ送信機。
【請求項８】
上記拡散コードは、直交拡散コードであることを特徴とする請求項４、５、または６に記載のダイバシティ送信機。
【請求項９】
上記重み付け手段によって賦課される上記固定された複素重みは、関連する並列チャネルのための時間的に不変の位相シフト量であることを特徴とする請求項１に記載のダイバシティ送信機。
【請求項１０】
上記位相シフト量は、異なるアンテナから送信される少なくとも２つの対応並列チャネル内のチャネルには無関係であることを特徴とする請求項９に記載のダイバシティ送信機。
【請求項１１】
上記位相シフト量は、上記チャネルに依存することを特徴とする請求項９に記載のダイバシティ送信機。
【請求項１２】
上記重み付けマトリックスは、各ブランチに関して同一であることを特徴とする請求項９に記載のダイバシティ送信機。
【請求項１３】
上記重み付けマトリックスは、各ブランチに毎に異なることを特徴とする請求項９に記載のダイバシティ送信機。
【請求項１４】
上記入力手段（１）の下流で、且つ上記送信処理手段（２）の上流に配列されている予備分散化手段（３）を更に備え、
上記予備分散化手段（３）は、上記入力された記号シーケンス（ｂ）に分散化を受けさせるようになっており、少なくとも１つの分散化された記号シーケンス（ｂ1、ｂ2、…、ｂk）が上記処理手段へ供給される、
ことを特徴とする請求項１に記載のダイバシティ送信機。
【請求項１５】
上記予備分散化手段は、上記入力記号シーケンスに、直交送信ダイバシティ（ＯＴＤ）、直交空間・時間送信ダイバシティＳＴＴＤ処理、非直交送信ダイバシティ（ＯＴＤ）、直交空間・時間送信ダイバシティＳＴＴＤ処理、遅延ダイバシティＤＤ処理、空間・時間トレリスコード処理、または空間・時間ターボコード処理の少なくとも１つを受けさせることを特徴とする請求項１４に記載のダイバシティ送信機。
【請求項１６】
上記入力記号シーケンスは、チャネルコードシーケンスであることを特徴とする請求項１に記載のダイバシティ送信機。
【請求項１７】
上記チャネルコーディングは、ターボコーディング、畳込みコーディング、ブロックコーディング、またはトレリスコーディングであることを特徴とする請求項１６に記載のダイバシティ送信機。
【請求項１８】
上記予備分散化手段は、上記入力記号に上記処理の１つより多くを受けさせ、上記処理は連結して遂行されることを特徴とする請求項１５に記載のダイバシティ送信機。
【請求項１９】
上記並列チャネルにおける位相オフセットは、固定された量だけ異なることを特徴とする請求項９に記載のダイバシティ送信機。
【請求項２０】
上記並列チャネルにおける位相オフセットは、最大可能な量だけ異なることを特徴とする請求項９に記載のダイバシティ送信機。
【請求項２１】
上記並列チャネルにおける位相オフセットは、360°の完全複素円をカバーすることを特徴とする請求項９に記載のダイバシティ送信機。
【請求項２２】
上記並列チャネルにおける位相オフセットは、位相シフトキーイング形態から取られることを特徴とする請求項９に記載のダイバシティ送信機。
【請求項２３】
上記使用される位相オフセットは、上記受信機に信号されることを特徴とする請求項９に記載のダイバシティ送信機。
【請求項２４】
上記位相オフセットは、フィードバックチャネルを介して上記受信機によって少なくとも部分的に制御されることを特徴とする請求項９に記載のダイバシティ送信機。
【請求項２５】
ダイバシティ送信方法であって、
処理すべき記号マトリックス（ｂ）を入力するステップを含み、
上記処理は、
上記記号マトリックスの列を複数の少なくとも２つのブランチへ供給するステップを含み、上記各ブランチは空間チャネル（Ａ1、…、Ａm）の関連する１つへ供給されて送信されるようになっており、
上記処理は更に、
関連するユーザに割当てられている少なくとも２つの並列チャネルを各ブランチ内へ供給するように並列化を遂行するステップと、
上記ブランチの少なくとも１つの上の上記記号マトリックス信号に、少なくとも１つの固定された複素重みを用いる可逆線形変換を受けさせるステップと、
を含み、上記複素重みは、少なくとも２つの並列チャネルの間で異なる、
ことを特徴とする方法。
【請求項２６】
上記可逆線形変換は、ユニタリ変換であることを特徴とする請求項２５に記載の方法。
【請求項２７】
上記ユニタリ変換は、少なくとも２つの要素が異なる非０複素位相値を有するユニタリ重みマトリックスによって表されることを特徴とする請求項２６に記載の方法。
【請求項２８】
上記並列化ステップは、多重拡散コードを使用してマルチコード送信を遂行するようになっていることを特徴とする請求項２５に記載の方法。
【請求項２９】
上記マルチコード送信は、上記記号に拡散コードマトリックス（Ｈ）を乗ずることによるアダマール変換を使用して遂行されることを特徴とする請求項２８に記載の方法。
【請求項３０】
上記拡散コードマトリックスは、アンテナに特定であることを特徴とする請求項２８に記載の方法。
【請求項３１】
上記拡散コードは、非直交拡散コードであることを特徴とする請求項２８、２９、または３０に記載の方法。
【請求項３２】
上記拡散コードは、直交拡散コードであることを特徴とする請求項２８、２９、または３０に記載の方法。
【請求項３３】
上記重み付け手段によって賦課される上記固定された複素重みは、関連する並列チャネルのための時間的に不変の位相シフト量であることを特徴とする請求項２５に記載の方法。
【請求項３４】
上記位相シフト量は、異なるアンテナから送信される少なくとも２つの対応並列チャネル内のチャネルには無関係であることを特徴とする請求項３３に記載の方法。
【請求項３５】
上記位相シフト量は、上記チャネルに依存することを特徴とする請求項３３に記載の方法。
【請求項３６】
上記重み付けマトリックスは、各ブランチに関して同一であることを特徴とする請求項３３に記載の方法。
【請求項３７】
上記重み付けマトリックスは、各ブランチに毎に異なることを特徴とする請求項３３に記載の方法。
【請求項３８】
上記入力の後で、且つ上記処理の前に遂行される予備分散化ステップを更に含み、
上記予備分散化ステップは、上記入力された記号シーケンス（ｂ）に分散化を受けさせるようになっており、少なくとも１つの分散化された記号シーケンス（ｂ1、ｂ2）が上記処理を受ける、
ことを特徴とする請求項２５に記載の方法。
【請求項３９】
上記予備分散化ステップは、上記入力記号シーケンスに、直交送信ダイバシティ（ＯＴＤ）、直交空間・時間送信ダイバシティＳＴＴＤ処理、非直交送信ダイバシティ（ＯＴＤ）、直交空間・時間送信ダイバシティＳＴＴＤ処理、遅延ダイバシティＤＤ処理、空間・時間トレリスコード処理、または空間・時間ターボコード処理の少なくとも１つを受けさせることを特徴とする請求項２８に記載の方法。
【請求項４０】
上記入力記号シーケンスは、チャネルコードシーケンスであることを特徴とする請求項２５に記載の方法。
【請求項４１】
上記チャネルコーディングは、ターボコーディング、畳込みコーディング、ブロックコーディング、またはトレリスコーディングであることを特徴とする請求項４０に記載の方法。
【請求項４２】
上記予備分散化ステップは、上記入力記号に上記処理の１つより多くを受けさせ、上記処理は連結して遂行されることを特徴とする請求項３９に記載の方法。
【請求項４３】
上記並列チャネルにおける位相オフセットは、固定された量だけ異なることを特徴とする請求項３３に記載の方法。
【請求項４４】
上記並列チャネルにおける位相オフセットは、最大可能な量だけ異なることを特徴とする請求項３３に記載の方法。
【請求項４５】
上記並列チャネルにおける位相オフセットは、360°の完全複素円をカバーすることを特徴とする請求項３３に記載の方法。
【請求項４６】
上記並列チャネルにおける位相オフセットは、位相シフトキーイング形態から取られることを特徴とする請求項３３に記載の方法。
【請求項４７】
上記使用される位相オフセットは、上記受信機に信号されることを特徴とする請求項３３に記載の方法。
【請求項４８】
上記位相オフセットは、フィードバックチャネルを介して上記受信機によって少なくとも部分的に制御されることを特徴とする請求項３３に記載の方法。
【請求項４９】
上記記号マトリックスの全ての列は、同一の記号を含むことを特徴とする請求項１に記載のダイバシティ送信機。
【請求項５０】
上記記号マトリックスは、直交空間・時間ブロックコードであることを特徴とする請求項１に記載のダイバシティ送信機。
【請求項５１】
上記記号マトリックスは、非直交空間・時間ブロックコードであることを特徴とする請求項１に記載のダイバシティ送信機。
【請求項５２】
上記記号マトリックスの少なくとも１つの列は、別の列とは異なることを特徴とする請求項１に記載のダイバシティ送信機。
【請求項５３】
上記記号マトリックスは少なくとも２つの空間・時間コードマトリックスを含み、各々が異なる記号を変調することを特徴とする請求項１に記載のダイバシティ送信機。
【請求項５４】
上記記号マトリックスの全ての列は異なる記号を有し、各並列チャネルは、関連する空間チャネルから上記空間チャネルに割当てられている少なくとも２つの記号を並列に送信することを特徴とする請求項１に記載のダイバシティ送信機。
【請求項５５】
上記記号の全ての列は、同一の記号を含むことを特徴とする請求項２５に記載の方法。
【請求項５６】
上記記号マトリックスは、直交空間・時間ブロックコードであることを特徴とする請求項２５に記載の方法。
【請求項５７】
上記記号マトリックスは、非直交空間・時間ブロックコードであることを特徴とする請求項２５に記載の方法。
【請求項５８】
上記記号マトリックスの少なくとも１つの列は、別の列とは異なることを特徴とする請求項２５に記載の方法。
【請求項５９】
上記記号マトリックスは少なくとも２つの空間・時間コードマトリックスを含み、各々が異なる記号を変調することを特徴とする請求項２５に記載の方法。
【請求項６０】
上記記号マトリックスの全ての列は異なる記号を有し、各並列チャネルは、関連する空間チャネルから上記空間チャネルに割当てられている少なくとも２つの記号を並列に送信することを特徴とする請求項２５に記載の方法。
【発明の詳細な説明】
【技術分野】
【０００１】
本発明はダイバシティ送信機に関し、特定的には、ＵＭＴＳ等のような移動通信システムとの接続に使用するダイバシティ送信機に関する。本発明はまた、対応するダイバシティ送信方法にも関する。
【背景技術】
【０００２】
ダイバシティ送信機に関連して、いろいろな概念が検討されている。一般的に言えば、例えば、2001年５月のギリシャ・ローヅでのIEEE Vehicular Technology Conferenceにおいて本発明者及び共同執筆者の論文“非直交空間・時間ブロックコードのためのランダム化技術”に概説されているように、いわゆる開ループ概念と閉ループ概念とを区別することができる。
【０００３】
数多くの異なるこのような開ループ概念が、第３世代パートナーシッププロジェクト３ＧＰＰ（及び／または３ＧＰＰ２）において提唱されている。例えば、上述した論文“非直交空間・時間ブロックコードのためのランダム化技術”において出願者らは、３ＧＰＰ２におけるいわゆるＡＢＢＡ概念を提示した。モトローラは、ＳＴＴＤ＋ＯＴＤ（空間・時間送信ダイバシティ＋直交送信ダイバシティ）の組合わせを提唱し、最近の2000年８月22日−８月25日のドイツ・ベルリンにおけるTSG-RAN Working Group 1 meeting #15において、サムスンは、論文“４アンテナ送信ダイバシティのための新ＣＰＩＣＨ送信計画”で２×ＳＴＴＤ概念を提唱した。
【０００４】
2001年６月のカナダ・バンクーバにおけるCanadian Workshop on Information Theoryに提出された論文“多重素子送信機のための空間・時間コーディング概念”において本出願人及び共同執筆者は、いわゆるトロンビ（ Trombi ）概念を提唱した（2001年３月28日、米国特許出願済）。発明者は、ノキアのトロンビ概念（詳細に関しては後述）は、現在、最良の性能を示すものと考えている。しかしながら、現在までは、トロンビ概念は主として位相ホッピングまたは位相スウィーピング配列に関連して実現されてきた。位相ホッピングまたは位相スウィーピングは、本発明に関連して使用することもできるが、トロンビ方法を使用すると、ＷＣＤＭＡダウンリンクにおける極めて高いデータ転送速度を含む送信方法を更に向上させることができる。
【０００５】
さらなる送信ダイバシティ概念が、ＯＦＤＭ文献（直交周波数分割多重化）において検討されてきた。例えば、これらの概念が、2000年にIEEEが出版したＳ．カイザーの論文“ブロードバンドＯＦＤＭシステムのための空間送信ダイバシティ技術”の1824-1828ページ（0-7803-6451-1/00 ）において検討されている。
【０００６】
しかしながら、カイザーが提唱したこの概念から完全な利益を得るためには、多数の周波数をインタリーブする必要がある。（類似のアプローチがUS-A-6157612において検討されている。）更に、カイザーの教示によれば、送信される記号は幾つかの搬送波にまたがって分配されるので、受信した多重経路成分を組合わせるには、送信（分配）された記号部分を受信側において正確に組合わせることができるようにする保護間隔が必要になる。
【０００７】
上述したいわゆるトロンビ概念に戻って、以下のことが提唱されている。時間変化／ホッピング位相（例えば、擬似ランダム）を、ＳＴＴＤ（空間・時間送信ダイバシティ）エンコーダ（または、他のある直交、または非直交概念に基づくエンコーダ、前記論文“…ランダム化技術”を参照されたい）の出力において所与のユーザの専用チャネルに追加する。
【０００８】
４つのアンテナを用いる１つの解決法は、アンテナ２及び４に複素係数（２つの空間・時間コード化［逐次的］記号の場合は定数）を乗じ、以下の受信信号を得ることである（一般的には、受信信号ｒ、記号Ｓ、送信チャネル伝達関数ｈ、及び複素係数ｗがマトリックスノーテーション内に与えられることに注目されたい）。
【０００９】
ｒt1＝Ｓ1(ｈ1＋ｗ1 (t)ｈ2) −Ｓ2* (ｈ3＋ｗ2 (t)ｈ4)
ｒt2＝Ｓ2(ｈ1＋ｗ1 (t)ｈ2) ＋Ｓ1* (ｈ3＋ｗ2 (t)ｈ4)                  （１）
【００１０】
好ましい配列では、定振幅＝１であり、ｗ1(t) ＝ −ｗ2 (t)であるように構成される。位相は、適当な擬似ランダムシーケンスに従って変化する。例えば、それは端末（受信機）に（事前に）知られている位相０、180、90、−90（または、何等かの他のシーケンス）を用いてホップさせることができる。達成可能な利得を得るためには、８−ＰＳＫホッピングで十分であると考えられる。
【００１１】
次いで、端末は、例えば位相ダイナミックスを適用する必要がない共通チャネルパイロット（または、専用パイロット）を使用して、チャネルｈ1、…、ｈ4を推定する（例えば、共通チャネル測定は、前記サムスンの論文が提唱しているように行うことができる）。代替として、端末は、実効チャネルｈ1＋ｗ*ｈ2及びｈ3＋ｗ*ｈ4だけを測定することができる。
【００１２】
チャネル及び送信機における擬似ランダム重みを知ることによって、意図的な位相ダイナミックスを考慮に入れることができ、それによって検出は、複雑さを何等増加させることなく普通のＳＴＴＤデコーディングまで縮小される。
【００１３】
本質的に、位相ホッピングのダイナミックスは、事前に固定すべきであるか、または少なくともそれはＵＥによって知られるべきである（例えば、送信機から受信機へ適当に信号することによって）。若干の場合には、ＵＥが位相ホッピングシーケンスを制御すれば有利であることもあり得る（制御手順は当業者には公知であろうから、これらの詳細に関して説明する必要はないものと考える）。
【００１４】
時間ダイバシティを提供するチャネルコーディングを用いれば、“トロンビの論文”に示されているように、低ドップラチャネルにおけるこの概念の性能は、２アンテナＳＴＴＤ概念よりも良好である。位相ホッピングダイバシティは、チャネル推定が位相ホッピングチャネルから直接得られるような手法にも使用することができる。その場合、ホッピングシーケンスは増分変化だけを有することができる。そのようにしなければ、効率的なチャネル推定を可能にするには、実効チャネルの変化が早過ぎるようになる。しかしながら、この場合、受信機端末（ＵＭＴＳにおけるユーザ設備ＵＥ）は、必然的に位相ホッピングが使用されていることを少しも知る必要はない。
【００１５】
このように上述して計画においては、位相が突然ホップすることによってチャネル推定性能が弱められるか、またはホップを多くのレベルに量子化しなければならないので、位相ホッピングが位相スイープに近似するようになる。
【００１６】
このトロンビ概念は逐次送信のために設計されており、位相ホッピングシーケンスが複数の時間瞬間にわたって定義され、複数の空間・時間エンコードされたブロックをカバーする。将来の通信システムにおいては、全情報フレームを１または数記号間隔内に送信することができよう（例えば、ＣＤＭＡシーケンスにおいて、もし本質的に全てのダウンリンクコードが一時に１ユーザに割当てられれば）。このような極端な場合には、１または数位相ホッピング値だけしか送信に組み込むことができず、トロンビ概念の利益を得ることはできない。
【００１７】
例えは、2000年８月24日の“１×ＥＶ仕様の物理層部分のためのドラフトベースラインテキスト”３ＧＰＰ２、C．P9091バージョン0.21（３ＧＰＰ２  ＴＳＧ−ＣワーキンググループIII）に、高データ転送速度ＣＤＭＡシステムの物理層が記述されている。このシステムはダウンリンクに時分割多重化を使用しており、ユーザには１つのスロットだけを割当てることができ、パイロットはこの１つのスロットの間に１つのチャネル推定だけが得られるように構成されている。
【発明の開示】
【発明が解決しようとする課題】
【００１８】
従って、本発明の目的は、上述した欠陥を有していない改良されたダイバシティ送信機、及びダイバシティ送信方法を提供することである。
【課題を解決するための手段】
【００１９】
この目的は、例えば本発明によるダイバシティ送信機によって達成される。本ダイバシティ送信機は、送信処理手段へ送られる記号マトリックスを入力するための送信記号入力手段を備え、上記送信処理手段は、上記記号マトリックスの列を複数の少なくとも２つのブランチへ供給する供給手段を含み、上記各ブランチは関連する１つの空間チャネルへ供給されて受信機へ送信されるようになっている。上記送信処理手段は更に、関連するユーザに割当てられている少なくとも２つの並列チャネルを上記各ブランチ内へ供給する並列化手段と、少なくとも１つの上記ブランチ上の記号マトリックス信号に、少なくとも１つの固定された複素重みを用いる可逆線形変換を受けさせる重み付け手段とを含み、上記複素重みは上記少なくとも２つの並列チャネルの間で異なる。
【００２０】
この目的は、例えば本発明によるダイバシティ送信方法によって達成される。本ダイバシティ送信方法は、処理される記号マトリックスを入力するステップを含み、上記処理は上記記号マトリックスの列を複数の少なくとも２つのブランチへ供給するステップを含み、上記各ブランチは関連する１つの空間チャネルへ供給されて送信されるようになっている。上記処理は更に、関連するユーザに割当てられている少なくとも２つの並列チャネルを上記各ブランチ内へ供給するように並列化を遂行するステップと、少なくとも１つの上記ブランチ上の記号マトリックス信号に、少なくとも１つの固定された複素重みを用いる可逆線形変換を受けさせるステップとを含み、上記複素重みは上記少なくとも２つの並列チャネルの間で異なる。
【００２１】
本発明（方法、並びに送信機）を更に詳述すれば、
−上記可逆線形変換はユニタリ変換であり、
−上記ユニタリ変換は、少なくとも２つの要素が異なる非０複素位相値を有するようなユニタリ重みマトリックスによって表され、
−上記並列化手段／ステップは、複数の拡散（スプレッディング）コードを使用するマルチコード送信を遂行するようになっており、
−上記マルチコード送信は、記号に拡散コードマトリックスＨを乗ずることによるアダマール変換を使用して遂行され、
−上記拡散コードマトリックスは、アンテナに特定であり、
−上記拡散コードは、非直交拡散コードであり、
−上記拡散コードは、直交拡散コードであり、
−上記重み付け手段／ステップによって適用される上記固定された複素重みは、関連する並列チャネルのための時間的に不変の位相シフト量であり、
−上記位相シフト量は、異なるアンテナから送信される少なくとも２つの対応する並列チャネル内のチャネルには無関係であり、
−上記位相シフト量は、チャネルに依存し、
−上記重み付けマトリックスは、各ブランチに関して同一であり、
−上記重み付けマトリックスは、各ブランチ毎に異なり、
−入力の後に遂行される／入力の下流に配列された、そして処理の前に遂行される／処理の上流に配列された予備分散化（pre-diversification）ステップ／手段が設けられ、上記予備分散化ステップ／手段は上記入力された記号シーケンスに分散化を受けさせ、少なくとも１つの分散化された記号シーケンスが上記処理を受け、
−上記予備分散化ステップ／手段は、上記入力記号シーケンスに、直交送信ダイバシティＯＴＤ、直交空間・時間送信ダイバシティＳＴＴＤ処理、非直交空間・時間送信ダイバシティＳＴＴＤ処理、遅延ダイバシティＤＤ処理、空間・時間トレリスコード処理、または空間・時間ターボコード処理の少なくとも１つを受けさせ、
−上記入力記号シーケンスは、チャネルコード化シーケンスであり、
−上記チャネルコーディングは、ターボコーディング、畳込みコーディング、ブロックコーディング、またはトレリスコーディングであり、
−上記予備分散化ステップ／手段は、上記入力記号に上記処理の１つより多くを受けさせ、上記処理は連結して遂行され、
−上記並列チャネル内の位相オフセットは、固定された量だけ異なり、
−上記並列チャネル内の位相オフセットは、最大可能な量だけ異なり、
−上記並列チャネル内の位相オフセットは、360°の完全複素円をカバーし、
−上記並列チャネル内の位相オフセットは、位相シフトキーイング形態から取られ、
−上記使用される位相オフセットは、受信機に信号され、
−上記位相オフセットは、フィードバックチャネルを介して上記受信機によって少なくとも部分的に制御され、
−上記記号マトリックスの全ての列は、同一の記号を含み、
−上記記号マトリックスは、直交空間・時間ブロックコードであり、
−上記記号マトリックスは、非直交空間・時間ブロックコードであり、
−上記記号マトリックスの少なくとも１つの列は、別の列とは異なり、
−上記記号マトリックスは、少なくとも２つの空間・時間コードマトリックスを含み、各々は異なる記号を変調し、
−上記記号マトリックスの全ての列は異なる記号を有し、各並列チャネルは関連する空間チャネルから、その空間チャネルに割当てられている少なくとも２つの記号を並列に送信する。
【００２２】
更にまた、例えば、上記拡散コードは、送信ユニットに特定のスクランブリングシーケンス（例えば、１つの基地局または送信ユニット内の全てのアンテナに対して同一）を用いてスクランブルされ、上記重み付け手段は関連する記号シーケンスに対して複素重み付けマトリックス［その対角線内に時間的に不変の位相シフト量を有する］を適用し、上記記号シーケンスは関連する並列チャネルを変調する。
【００２３】
また、例えば、上記予備分散化手段／ステップは、上記入力記号に、直交送信ダイバシティＯＴＤ処理、並列送信（この場合、予備分散化は、入力として例えば４つの異なる記号を入手し、直並列変換を遂行し、２つの記号を２つのアンテナまたはブランチから同時に並列に送信する。これは、データ転送速度を２倍まで増加させる。）、直交空間・時間送信ダイバシティ（ＳＴＴＤ、出力の数は任意とする）、非直交空間・時間送信ダイバシティＳＴＴＤ処理（速度を１に維持するか、または１を超えて増加させるが、ある自己干渉は許容する）、遅延ダイバシティＤＤ処理、トレリスコード処理、畳込みコード処理、またはターボコード処理の少なくとも１つを受けさせ、上記予備分散化手段は上記入力記号に１より多くの上記処理を受けさせ、上記処理は連結して遂行される。従って、例えば、ターボ／畳込みコードによってコーディングされる第１のチャネルが存在し、出力がＯＴＤ、Ｓ／Ｐ、ＳＴＴＤ、またはＮＯ−ＳＴＴＤに与えられ、そして典型的にはターボコーディングの後にインタリービングが存在するようなシステムが存在する。
【００２４】
以上のように、公知の従来技術配列に固有の上述した欠陥は、本発明によって除去される。
【００２５】
詳述すれば、以下の長所を得ることができる。
−バースト送信に伴う性能の改善、
−半連続スイープを必要としないので、送信機における実行が簡単、
−全ての利益を得るための複数の周波数にわたるインタリービングが不要、
−送信された（分配された）記号部分を受信側において正確に組合わせるための保護間隔が不要。
【００２６】
詳述すれば、本発明の一実施例は、位相ホッピングを使用しなくとも、及びたとえ送信間隔が極めて短く、且つ高度に並列のバースト送信が使用されているとしても、類似の効果的な受信されたチャネルを得る（式１、時間に関して定義）ことを達成する。本発明の別の実施例は、たとえ送信間隔が極めて短かいとしても、非直交空間・時間コード内の相関をランダム化することを達成する。
【発明を実施するための最良の形態】
【００２７】
本発明によるダイバシティ送信機及び方法においては、少なくとも２つの空間チャネル（アンテナまたはビームであることができる）からの複数の並列送信が存在する。即ち、基本的には、所与のユーザ（受信機）に割当てられている少なくとも２つの（論理的）並列チャネル（例えば、拡散コード）を必要とし、これらの並列チャネルは、例えばトロンビにおける送信アンテナ（または、ビーム）のような、少なくとも２つの空間チャネルから送信され、上記空間チャネル（アンテナ）の少なくとも１つから送信される少なくとも２つ（トロンビの結果によれば、好ましくは８つ）の並列チャネルには固定された複素重みが乗ぜられ、上記複素重みは少なくとも２つの並列チャネルの間で異なる。
【００２８】
この詳細に関して、以下に図１を参照して説明する。
【００２９】
図１に、ダイバシティ送信機、即ち本発明によるダイバシティ送信機の基本構成を簡易ブロック図で示す。アンテナ（空間チャネルの例を表している）Ａ1、…、Ａmからの送信は、受信機において受信される前にそれぞれの送信チャネルａ1、…、ａmの影響を受ける。一般的には、送信される記号ｂは送信機において処理され、１または複数の送信チャネルを介して送信され、そして受信機において受信される。記号ｂは、初めに送信された記号ｂを再構築するために、受信機において受信処理を受ける。受信処理は、送信チャネルの影響を補償するためのチャネル推定を含む。（記号ｂ並びに送信チャネル、即ちそれらのチャネルインパルス応答が、マトリックスノーテーション内にあることに注目されたい）。
【００３０】
本ダイバシティ送信機は、送信処理手段２へ送られる記号ｂ（記号マトリックス、または記号マトリックスのシーケンス）を入力するための送信記号入力手段１を含む。送信処理手段２自体は、上記記号ｂを複数の少なくとも２つのブランチへ供給するための供給手段２ａを含む。各ブランチは、受信機へ送信するために、送信アンテナＡ1、…、Ａm（即ち、空間送信チャネル）の関連する１つへ供給される。並列化手段２ｂは、関連するユーザ（即ち、受信機）に割当てられている少なくとも２つの並列チャネルを、各ブランチ内へ供給するようになっている。重み付け手段２ｃは、上記ブランチの少なくとも１つの上の記号信号に、固定された複素重みを乗ずるようになっている。この複素重みは、上記少なくとも２つの並列チャネルの間で異なる。
【００３１】
図１において、並列化は図示の２つの各ブランチ内において遂行され、一方重み付けは下側のブランチにおいてだけ実行される。しかしながら、重み付けは、下側ブランチの代わりに上側ブランチにおいて遂行することも、または両ブランチにおいて遂行することもできる。
【００３２】
並列化手段２ｂは、例えば、ユーザ及び／またはサービスに特定の拡散コードマトリックスＨを乗ずることによって、アダマール変換のようなマルチコード送信ＷＣＤＭＡを遂行するようになっており、上記拡散コードマトリックスはアンテナに特定であることができる。しかしながら、図示の例では、各アンテナまたは空間チャネルのために同一の拡散コードマトリックスが選択されている。もし拡散のためにアダマール変換を適用するのであれば、処理された記号をアンテナへ出力する前にスクランブリングが遂行される。しかしながら、図面を簡易化する目的から、このようなスクランブリング及びＲＦ処理は図面では省略されている。
【００３３】
チャネルａ1、ａ2（ｍ＝２の場合のａm）を通しての多重経路伝播後に受信機において受信された信号ｒは次式で表される。
【００３４】
ｒ＝ａ1Ｈｂ＋ａ2Ｈdiag（［exp（ｊφ1），…，exp（ｊφn）］）ｂ＋ｎ  （２）
【００３５】
但し、対角線マトリックス“diag”は重み付けマトリックスＷの固定された複素重みからなり、また係数ａ1、ａ2は所与のアンテナと端末との間のチャネル係数（即ち、関連するチャネルインパルス応答）である。Ｈは拡散コードのマトリックスであり、ｎは雑音成分を表し、そしてｂは送信された記号のベクトル／マトリックスである。
【００３６】
この基本的な実施例は、上記入力手段１の下流で、且つ上記送信処理手段２の上流に配列されている予備分散化手段３によって遂行される予備分散化と連結することができる。
【００３７】
図２は、このようなダイバシティ送信機の例を示している。但し、入力手段は省略されている。例えばＳＴＴＤまたは別のダイバシティ概念を遂行する予備分散化手段３は、上記入力された記号マトリックスｂに分散化を受けさせるようになっている。分散化された各記号（ベクトル／シーケンス）ｂ1、ｂ2が、上記処理手段へ供給される。図２に示す例においては、第１の分散化された信号ｂ1は処理手段２１へ供給され、一方第２の分散化された信号ｂ2は処理手段２２へ供給される。手段２１及び２２が互いに同一であるように示されているが、このようにする必要はない。これらは、使用する拡散マトリックスＨ、使用する重み付けマトリックスＷについて、及び使用する空間チャネル（アンテナまたはビーム）の数ｍについてさえ異なることができる。少なくとも１つの送信を上記マルチコード送信に適用するマルチユーザＣＤＭＡシステムにおいては、手段２１と２２とが同一であることが好ましいが、ユーザが異なれば上記拡散マトリックスから異なるコードが選択される。これによって、もしマトリックスが直交であれば、異なるコードを多重化したユーザが互いに干渉し合うことがなくなる。
【００３８】
図２に示すように、この概念と他の送信ダイバシティ概念とを連結する場合、記号（ｂ）を異ならせるように定義する必要がある。詳述すれば、４つのアンテナを有しているものとし、また２つの並列送信（両者は２つのアンテナから送信される）が、同一の記号シーケンスを有してはいるがアンテナに特定の直交拡散マトリックスＨ1及びＨ2が異なる直交送信ダイバシティ（ＯＴＤ）と組合わされるようなケースを考えよう。受信する信号は次式になる。
【００３９】
ｒ＝ａ1Ｈ1ｂ＋ａ2Ｈ1 diag（［exp（ｊφ1），…，exp（ｊφn）］）ｂ
＋ａ3Ｈ2ｂ＋ａ4Ｈ2 diag（［exp（ｊφ1），…，exp（ｊφn）］）ｂ＋ｎ  （３）
【００４０】
この例のように、ｍ＝４送信アンテナが存在する場合、チャネルに対して４つの添え字１、…、４が使用され、異なる送信アンテナブランチ（ＯＴＤに起因する）内の並列（マルチ）コードＨ1、Ｈ2に対しては２つの添え字１、２が使用される。この場合、これらはアダマールコードマトリックスの異なるサブマトリックスであり、従って互いに直交していることが好ましい。ここでも、ｎは雑音成分を表す。
【００４１】
代替概念においては、少なくとも部分的に異なる記号シーケンス／ベクトルｂ1及びｂ2が、２つの異なるアンテナ対から送信される。受信信号は、次式によって与えられる。
【００４２】
ｒ＝ａ1Ｈ1ｂ1＋ａ2Ｈ1 diag（［exp（ｊφ1），…，exp（ｊφn）］）ｂ1
＋ａ3Ｈ2ｂ2＋ａ4Ｈ2 diag（［exp（ｊφ1），…，exp（ｊφn）］）ｂ2＋ｎ （３’）
【００４３】
例えば、記号ベクトルｂ1及びｂ2は、直並列（Ｓ／Ｐ）変換を用いて形成された２つの異なる情報サブストリーム（多分、チャネルコーディングの後）を表すことができる。これにより、この送信概念のデータ転送速度は２倍まで増加する。もし送信アンテナから受信アンテナまでの空間チャネルが十分に異なっていれば、Ｈ1＝Ｈ2とすることができ、それでも記号ストリームｂ1及びｂ2を検出することができる。代替実施例においては、記号ストリームｂ1及びｂ2は各々、ＳＴＴＤ（または、空間・時間拡散を含む他の何等かの空間・時間コード）の異なるブランチに属することができる。例えば、ＳＴＴＤを用いた場合、ｂ1＝（ｃ1  ｃ2）及びｂ2＝（−ｃ2*  ｃ1*）である。ここに、ｃ1及びｃ2は、並列送信手段へ送られる（複素）記号である。この場合、空間・時間コードの特性から、これらの記号シーケンスは分離可能であり（実際に、直交）、マトリックスＨ1及びＨ2は同一であることが好ましい。この場合、２つの記号を送信するためには２時間間隔を要するので、記号レートが１に留まることに注目されたい。コードマトリックスは、例えばアダマールコード、または回転された（スクランブルされた）アダマールコードのように直交であるか、または公知のゴールドコードのようにほぼ直交であることが好ましい。他の何れかの直交空間・時間コードも使用することができる。
【００４４】
アンテナに特定の上記並列チャネルＨ、Ｈ1、及びＨ2が、任意の拡散係数を有することができ、コードドメイン（並列コード）内で、または直交搬送波（周波数）を用いて実現できることに注目されたい。
【００４５】
これは、例えば送信アンテナの数を更に増加させる場合には、他の何れかの送信ダイバシティ概念と組合わせることができる。提唱した概念は、遅延ダイバシティ、非直交空間・時間コード、直交空間・時間コード、空間・時間トレリスコード、ターボコード化送信ダイバシティ、その他と連結させることができる。また、もし十分な数の並列チャネルは有していないが十分な数の逐次的記号間隔を有していれば、従来技術が提唱しているような位相ホッピングを使用することができる。
【００４６】
複素重みは、連続コード化されたビットまたは記号がチャネルを見る時に、それが異なって見えるように定義すべきである。一例では、並列チャネルは、０、180、90、−90°のオフセットを有する位相を適用する。位相シーケンスが全ての状態を１回訪問するように、及び“経路長”が最大になるように、少なくとも８つの状態（例えば、ＰＳＫアルファベットから）を有することが好ましい。
【００４７】
もし少なくとも３つの送信経路（例えば、３つの異なる送信アンテナ）が存在すれば、ＡＢＢＡ概念及び／またはランダム化ＡＢＢＡ（ＲＡＢＢＡ）概念と同じように、固定された位相係数を適用することができる。これは、予備分散化手段３において実行される。この場合、記号のシーケンスがＡＢＢＡコードへの入力であり（例えば、トロンビにおけるように）、ＡＢＢＡコードの各出力（ＡＢＢＡ、または他のある非直交空間・時間コードマトリックスの列）は異なる送信アンテナへ導かれ、異なる各ブランチ内のシーケンスは少なくとも１つのブランチ内において少なくとも１つのコードが固定された位相回転を受けるように、マルチコード送信される。これは、非直交コードの所与のブランチ内の選択された記号が、回転された信号配列を有するように実現できることにも注目されたい。
【００４８】
４つのアンテナが存在するものとし、またＡＢＢＡコードの異なる列が、異なるＫ拡散（ウォルシュ）コード（ｗ ｋ）または搬送波（例えば、ＯＦＤＭにおけるＩＦＦＴからのベクトル）でアンテナ１、…、４から並列に送信されるものとする。この４*Ｋ（数４は特定のＡＢＢＡ構造に由来するものであり、この例では、２×２マトリックスＡ及びＢは共に例えばＱＰＳＫアルファベットからの２つの記号を含み、前述したようにＳＴＴＤ内には本質的に同一の記号構造が存在する）のパケットのために送信される信号の場合、記号は次式によって与えられる。
【００４９】
2004538716.tif 000003
【００５０】
ここにマトリックスＡ及びＢは、いわゆるＡＢＢＡマトリックスの要素である（この場合、ＡＢＢＡは、複数の受信アンテナの１つのためのために最適化されている他の何れかの非直交ブロックコードによって置換することができる）。ｋによってインデックスされている各並列送信は異なるＡＢＢＡ記号マトリックスを搬送し、信号はアンテナから送信される。
【００５１】
上述した例においては、幾つかの並列ＡＢＢＡ送信は、少なくとも１つのアンテナ（先行方程式における例では、２つのアンテナ）の出力を変調する異なる複素重みを有している。
【００５２】
以上のように、複素フェーソル内に時間インデックスは存在しない（フェーソルとは、時間的に不変の位相シフトを達成する乗算係数のことである）。並列トロンビ概念は、２つの（そして２つだけの）Ｂ及びＡマトリックスが場所を切り替える（スイッチする、または交換する）時に、式４を用いても説明できることに注目されたい。
【００５３】
他の考えられる実施例に関して、２つより多くのアンテナを有する如何なるシステムにも、類似のアプローチを使用することができる。また、アンテナの数は図１及び２に示す例のように偶数である必要はなく、任意であることができる。
【００５４】
並列重み付きチャネルは、例えば受信機からの長期のフィードバックによって、または受信測定によって、または両者によって定義される非固定ビームへ送信することも、またはそれらを固定ビームへ送信することもできる。
【００５５】
複素重みは単位ノルムを有する必要はなく、１とは異なる値を有することができる。
【００５６】
本発明によれば、従来の位相ホッピング概念は、例えば、ＨＤＲ（高データ転送速度）における並列チャネルに、または複数の並列チャネルが少なくとも２つの送信アンテナと共に使用される何等かの高速送信概念に適用可能な位相変調概念に変換されている。
【００５７】
この提唱した概念は、従来の時間的に変化する位相オフセット配列を回避し、それによってユーザ設備内の受信機装置がより簡単になるという長所を有している。この概念は、ベースバンドにおいて、信号拡散の前に並列チャネル内に異なる回転した記号配列を使用して実現することができる。
【００５８】
ＳＴＴＤと組合わせた時のこの概念の性能は、これを位相ホッピングの代わりに使用した時には、トロンビと組合わせた場合と同様である。
【００５９】
固定された位相オフセットを用いた（少なくとも３つのアンテナ／チャネルが存在する場合）ＡＢＢＡをベースとする／ＡＢＢＡ型の解決法を用いると、最良の記号誤り率が得られる見込みがある。この場合、“十分に良好な”性能を得るために、極めて高いレートのチャネルコードとあるＡＲＱ解法とを使用することができる（ＡＲＱを用いる場合、もし再送信がチャネルコヒーレンス時間と共に適切に発生すれば、位相を変化させることができる）。
【００６０】
ＯＦＤＭを用いる場合、ＡＢＢＡ解法は、複数のアンテナにまたがる干渉をランダム化し、典型的には、空間・時間コードの非直交性を軽減するために、受信機において簡単な（線形または非線形）干渉打消し概念を使用することを必要とする。並列トロンビを使用する場合には、コード及び記号が直交し続けるのでより簡単である。現在、空間・時間コード成分を用いずに、上述した長所を達成するこのようなＣＤＭＡをベースとするシステム（ＨＤＲ、ＨＳＤＰＡ）を、２つの送信アンテナについてさえも発明者らは知らない。何れの場合にも、チャネル推定のために並列チャネルの１つを使用し、ユーザ設備の受信機が各並列チャネル毎に別々にチャネルを推定する必要をなくすように、事前に並列チャネルの位相オフセットを固定すると有益である。しかしながら、もし並列チャネルが独立したチャネル推定子を有していれば、提唱した概念は、逆行的にこのようなシステムと両立可能である。もしそのように望むならば、送信機がこの概念を使用し、受信機がそれを盲目的に検出することもできる。例えば、提唱した概念（固定された位相オフセット）を使用して、また提唱した概念を使用することなく信号を復調し、より良好な性能（例えば、検出器の出力における記号信頼性）を与えるものを選択することによって、この盲目的検出を行うことができる。
【００６１】
性能の向上は、室内チャネルにおいて最高であることが見込まれる（アンテナ送信された信号に比して７−９ｄＢ）。
【００６２】
詳述すれば、並列化手段は、マルチコード送信（ＷＣＤＭＡ：広帯域コード分割多重アクセス）を達成することに注目されたい。この場合、並列化手段は、アダマール変換（アダマールマトリックス）、またはアダマールマトリックスのサブマトリックスを使用する。また並列化の後に、そしてアンテナからの送信の前に、スクランブリング処理が行われる。もし並列化のためにアダマールマトリックスを使用しないのであれば、その代わりとして、爾後のスクランブリングの必要性を軽減するいわゆるゴールドコードを使用することができる。しかしながら、スクランブリングを使用することによって、信号の自己相関特性がより良好になり、ＲＡＫＥダイバシティを使用することができるようになる。
【００６３】
代替として、並列化手段は、逆高速フーリエ変換ＩＦＦＴを遂行する（ＯＦＤＭに関連して）ことができる。
【００６４】
更に、重み付け手段が、簡単な乗算だけではなく、線形変換をも遂行するようになっていることを指摘したい。この目的のために、重み付けマトリックスは、重み付けマトリックスＷがユニタリである、即ち、その共役複素転置マトリックスＷHと乗算した時に、対角線内に値“１”だけを有する（ＷH*Ｗ＝Ｉ）単位マトリックスＩが得られる種類のマトリックスであることが好ましい。
【００６５】
更に、予備分割化手段が、記号を非直交空間・時間コード化する場合には、ＡＢＢＡ、ランダム化ＡＢＢＡ（ＲＡＢＢＡ）、またはアラムチ（Alamouti）コード（ＷＣＤＭＡにおけるＳＴＴＤ）を使用することが有利である。
【００６６】
また、使用される信号処理を適当に変更することを条件として、並列化及び重み付けのシーケンスを逆にすることができる。並列送信前の記号に重み付けするか、または並列チャネル（拡散コードで変調された）に重み付けすることができる。
【００６７】
以上のように、本発明によれば、ｍアンテナの中のｍ−１（選択された並列チャネル）内の位相は、破壊的な組合わせが支配的にならないように、固定された複素重みによってランダム化される。もし並列化によってｎ並列チャネルが存在すれば、ｎ次元の重み付けマトリックスを使用することができるが、二次元マトリックスでも十分である。ｎ次元マトリックスにおいては、若干の複素位相を０にセットすることができる。その場合、その特定のチャネルに重み付けはなされない。
【００６８】
本明細書において記述した信号は、マトリックスノーテーションであることに注目されたい。従って、記号及び／または記号シーケンスはマトリックスノーテーションであると理解されたい。これらのマトリックスは、例えば、2000年12月の米国・サンフランシスコにおける異なる数の送信アンテナを用いる直交空間・時間コードのためのGlobecom 2000に提出されたO.ティルコネン、A.ホッティネンの論文“４送信アンテナのための複素空間・時間ブロックコード”に記載されている。（単一の記号は、最小シーケンス長、例えば長さ１のシーケンスに対応する。）
【００６９】
また、本発明に従って送信された信号を受信する受信機は、送信側とは逆の動作を遂行するような対応する脱拡散機能を設けなければならない。この逆動作は、受信信号を逆処理する（逆マトリックス（Ｈ-1，Ｗ-1）を乗ずる）ことによって表すことができる。それとは別に、受信機はＲＦ部分、チャネル推定子、記号検出器（例えば、最大可能性、最大帰納的、繰り返し干渉打消し原理に基づく）、及びマルチプレクサを含むことになろう。
【００７０】
以上説明したように、本発明はダイバシティ送信機に関し、本ダイバシティ送信機は、送信処理手段（２）へ送られる記号マトリックス（ｂ）を入力するための送信記号入力手段（１）を備え、上記送信処理手段は上記記号マトリックスの上記列を複数の少なくとも２つのブランチへ供給する供給手段（２ａ）を含み、各ブランチは空間チャネル（Ａ1、…、Ａm）の関連する１つへ供給されて受信機へ送信される。上記送信処理手段は更に、関連するユーザに割当てられている少なくとも２つの並列チャネルを各ブランチ内へ供給する並列化手段（２ｂ）と、上記ブランチの少なくとも１つの上の記号マトリックス信号に、固定された複素重みを用いる可逆線形変換を受けさせる重み付け手段（２ｃ）とを含み、上記複素重みは少なくとも２つの並列チャネルの間で異なる。本発明は、対応するダイバシティ送信方法にも関する。
【００７１】
以上に、本発明をその好ましい実施例を参照して説明したが、本発明の思想及び範囲から逸脱することなく多くの変更が可能であることを理解されたい。例えば、送信機が移動端末であり、受信機が基地局または別の移動端末であることができる。更に、空間チャネルは、いわゆる偏波ダイバシティチャネルを含むことができる。電力制御を、並列チャネルに別々に、または共通に適用することができる。若干の並列チャネルは、異なる質のサービス（例えば、ＢＥＲ）を提供することも、異なるチャネルコーディング（誤り訂正／誤り検出）を有することも、及び／または異なる相対送信電力を有することもできる。若干の送信アンテナは異なる基地局に属することができ、その場合、本発明はマクロダイバシティまたはソフトハンドオフを提供するために使用することができる。これら全ての変更が特許請求の範囲内にあることを意図するものである。
【００７２】
本明細書に記載されている文書
［１］2001年５月、ギリシャ・ローヅ、IEEE Vehicular Technology ConferenceにおけるＡ．ホッティネン及びＯ．ティルコネンの論文“非直交空間・時間ブロックコードのためのランダム化技術”、
［２］2000年８月22日−８月25日、ドイツ・ベルリン、TSG-RAN Working Group 1 meeting #15におけるサムスンの論文“４アンテナ送信ダイバシティのための新ＣＰＩＣＨ送信計画”、
［３］2001年６月、カナダ・バンクーバ、Canadian Workshop on Information TheoryにおけるＡ．ホッティネン、Ｋ．クチ、及びＯ．ティルコネンの論文“多重素子送信機のための空間・時間コーディング概念”、
［４］2000年、IEEE出版、Ｓ．カイザーの論文“広帯域ＯＦＤＭシステムのための空間送信ダイバシティ技術”、1824-1828ページ（0-7803-6451-1/00 ）、
［５］US-A-6157612、
［６］2000年８月24日、“１×ＥＶ仕様の物理層部分のためのドラフトベースラインテキスト”３ＧＰＰ２、C．P9091バージョン0.21（３ＧＰＰ２  ＴＳＧ−ＣワーキンググループIII）、
［７］2000年12月、米国・サンフランシスコ、異なる数の送信アンテナを用いる直交空間・時間コードのためのGlobecom 2000におけるO.ティルコネン、A.ホッティネンの論文“４送信アンテナのための複素空間・時間ブロックコード”。
【図面の簡単な説明】
【００７３】
【図１】本発明によるダイバシティ送信機の基本的構成の簡易化ブロック図、及び本発明による基本的ダイバシティ送信方法による動作を示す図である。
【図２】予備分散化手段を含むように変更された本発明によるダイバシティ送信機の変更された構成の簡易ブロック図である。
【図１】
2004538716.tif 000004
【国際公開パンフレット】
2004538716.tif 000005
2004538716.tif 000006
2004538716.tif 000007
2004538716.tif 000008
2004538716.tif 000009
2004538716.tif 000010
2004538716.tif 000011
2004538716.tif 000012
2004538716.tif 000013
2004538716.tif 000014
2004538716.tif 000015
2004538716.tif 000016
2004538716.tif 000017
2004538716.tif 000018
2004538716.tif 000019
2004538716.tif 000020
2004538716.tif 000021
2004538716.tif 000022
2004538716.tif 000023
2004538716.tif 000024
2004538716.tif 000025
2004538716.tif 000026
2004538716.tif 000027
2004538716.tif 000028
2004538716.tif 000029
2004538716.tif 000030
2004538716.tif 000031
2004538716.tif 000032
2004538716.tif 000033
2004538716.tif 000034
2004538716.tif 000035
2004538716.tif 000036
2004538716.tif 000037
2004538716.tif 000038
2004538716.tif 000039
【国際調査報告】
2004538716.tif 000040
2004538716.tif 000041
2004538716.tif 000042